(57)【要約】【課題】ナビゲーションシステムの提供。【解決手段】ナビゲーションシステム３０は、タッチ入力及びナビゲーションマップ２０を表示するタッチパネル３２、データベース３６２を保存するメモリ３６、モード切換コマンドを入力するモード切換手段３８、タッチパネル３２とメモリ３６に接続するコントローラー３４を備え、モード切換コマンドに基づき、手書き或いは手の動き入力モードに切り換えられた後、コントローラー３４は、手書き或いは手の動き入力を識別し、入力情報を取得し、入力情報に基づき、データベース３６２から対応する施設データを取得し、各施設をナビゲーションマップ２０に表示する。【選択図】図３
2010127925.tif 000002
【特許請求の範囲】
【請求項１】
タッチパネル、モード切換手段、メモリ、コントローラーを備え、
前記タッチパネルによりタッチ入力及びナビゲーションマップの表示が可能で、
前記モード切換手段により、モード切換コマンドを入力し、これによりナビゲーションシステムは手書き入力モードに切り換えられ、
前記メモリは、データベースを保存し、
前記コントローラーは、前記タッチパネルと前記メモリに接続し、
前記モード切換コマンドが、ナビゲーションシステムを手書き入力モードに切り換えた後、前記コントローラーは、前記タッチパネルを通して手書き入力を識別し、入力情報を取得し、前記データベースをサーチし、前記入力情報が対応する施設データを取得し、前記各施設を前記ナビゲーションマップに表示することを特徴とするナビゲーションシステム。
【請求項２】
前記モード切換手段は、前記タッチパネル上の予め設定する図形ボタンを含むことを特徴とする請求項１に記載のナビゲーションシステム。
【請求項３】
前記モード切換手段は、予め設定する手の動きを含むことを特徴とする請求項１に記載のナビゲーションシステム。
【請求項４】
前記予め設定する手の動きは、多数の指による接触を含むことを特徴とする請求項３に記載のナビゲーションシステム。
【請求項５】
前記コントローラーは、前記入力情報とリストを比較対照し、前記入力情報が対応する施設のタイプを判断することを特徴とする請求項１に記載のナビゲーションシステム。
【請求項６】
前記タッチパネルは、キャパシタ式タッチパネルであることを特徴とする請求項１に記載のナビゲーションシステム。
【請求項７】
前記タッチパネルは、電気抵抗式タッチパネルであることを特徴とする請求項１に記載のナビゲーションシステム。
【請求項８】
前記タッチパネルは、超音波式タッチパネルであることを特徴とする請求項１に記載のナビゲーションシステム。
【請求項９】
前記タッチパネルは、赤外線式タッチパネルであることを特徴とする請求項１に記載のナビゲーションシステム。
【請求項１０】
タッチパネル、モード切換手段、メモリ、コントローラーを備え、
前記タッチパネルによりタッチ入力及びナビゲーションマップの表示が可能で、
前記モード切換手段により、モード切換コマンドを入力し、これによりナビゲーションシステムは手の動き入力モードに切り換えられ、
前記メモリは、データベースを保存し、
前記コントローラーは、前記タッチパネルと前記メモリに接続し、
前記モード切換コマンドが、ナビゲーションシステムを手の動き入力モードに切り換えた後、前記コントローラーは、前記タッチパネルを通して手の動きを識別し、入力情報を取得し、前記データベースをサーチし、前記入力情報が対応する施設データを取得し、前記各施設を前記ナビゲーションマップに表示することを特徴とするナビゲーションシステム。
【請求項１１】
前記モード切換手段は、前記タッチパネル上の予め設定する図形ボタンを含むことを特徴とする請求項１０に記載のナビゲーションシステム。
【請求項１２】
前記モード切換手段は、予め設定する手の動きを含むことを特徴とする請求項１０に記載のナビゲーションシステム。
【請求項１３】
前記予め設定する手の動きは、多数の指による接触を含むことを特徴とする請求項１０に記載のナビゲーションシステム。
【請求項１４】
前記コントローラーは、前記入力情報とリストを比較対照し、前記入力情報が対応する施設のタイプを判断することを特徴とする請求項１０に記載のナビゲーションシステム。
【請求項１５】
前記タッチパネルは、キャパシタ式タッチパネルであることを特徴とする請求項１０に記載のナビゲーションシステム。
【請求項１６】
前記タッチパネルは、電気抵抗式タッチパネルであることを特徴とする請求項１０に記載のナビゲーションシステム。
【請求項１７】
前記タッチパネルは、超音波式タッチパネルであることを特徴とする請求項１０に記載のナビゲーションシステム。
【請求項１８】
前記タッチパネルは、赤外線式タッチパネルであることを特徴とする請求項１０に記載のナビゲーションシステム。
【請求項１９】
タッチ入力及びナビゲーションマップを表示するタッチパネル、データベースを保存するメモリ、モード切換コマンドを入力するモード切換手段を備え、
制御方法は、以下のステップを含み、
モード切換コマンドに基づき、手書き入力モードに切り換え、
手書き入力を識別し、入力情報を取得し、
前記入力情報に基づき、前記データベースから、対応する施設データを取得し、前記各施設データをナビゲーションマップに表示することを特徴とするナビゲーションシステムの制御方法。
【請求項２０】
前記入力情報に基づき、前記データベースから、対応する施設データを取得するステップは、前記入力情報と予め設定するリストとの比較対照を含むことを特徴とする請求項１９に記載のナビゲーションシステムの制御方法。
【請求項２１】
前記施設データを前記ナビゲーションマップに表示するステップは、以下を含み、
前記各施設の位置を前記ナビゲーションマップに標示し、
前記各施設の関連情報を表示することを特徴とする請求項１９に記載のナビゲーションシステムの制御方法。
【請求項２２】
タッチ入力及びナビゲーションマップを表示するタッチパネル、データベースを保存するメモリ、モード切換コマンドを入力するモード切換手段を備え、
制御方法は、以下のステップを含み、
モード切換コマンドに基づき、手の動き入力モードに切り換え、
手の動き入力を識別し、入力情報を取得し、
前記入力情報に基づき、前記データベースから、対応する施設データを取得し、前記各施設データをナビゲーションマップに表示することを特徴とするナビゲーションシステムの制御方法。
【請求項２３】
前記入力情報に基づき、前記データベースから、対応する施設データを取得するステップは、前記入力情報と予め設定するリストとの比較対照を含むことを特徴とする請求項２２に記載のナビゲーションシステムの制御方法。
【請求項２４】
前記施設データを前記ナビゲーションマップに表示するステップは、以下を含み、
前記各施設の位置を前記ナビゲーションマップに標示し、
前記各施設の関連情報を表示することを特徴とする請求項２２に記載のナビゲーションシステムの制御方法。
【発明の詳細な説明】
【技術分野】
【０００１】
本発明はナビゲーションシステム(Navigation System)に関し、特にタッチパネルを備えるナビゲーションシステムとその制御方法に関する。
【背景技術】
【０００２】
ナビゲーションシステムは、地図データを提供し、使用者の要求に応じて迅速に走行路線を計画するもので、現在のナビゲーションシステムは、携帯電話端末、PDA等のハンドヘルドデバイスにも統合されている。
【０００３】
レジャーや仕事で外出する時、使用者は先ず、目的地と行程のリクエストをナビゲーションシステムに入力する。これらリクエストは、有料道路を避け、或いは最短ルートを選択する等を含む。ナビゲーションシステムは、これら設定に基づき、ルート計画を行う。計画の完成後、使用者は、ナビゲーションシステム上に表示されるナビゲーションマップ及び音声指示に従い、該ルートを通って、目的地まで正確に到達することができる。しかし、走行中はしばしば、給油、食事、或いはトイレ等の臨時の必要が出てくるが、現在のナビゲーションシステムでは、これら臨時の要求に対する処理は、なお完全ではない。
【０００４】
また、自動車用ナビゲーションシステムの一部は、リモコンを入力インターフェースとし、使用者は操作時に、多段階のメニュー操作を行う必要があり、使用者にとっては面倒である。図１は、従来のナビゲーションシステムの操作フローチャートである。ナビゲーションシステムは、ナビゲーション状態１０１にあり、ディスプレー上にはナビゲーションマップを表示している。使用者が付近にガソリンスタンドを探そうとする時、まずメインメニュー１０２に切り換え、新たにナビゲーションを選択し、付近の施設タイプ等のセカンドブメニュー１０３に進まなければならない。目標施設のタイプ(ガソリンスタンド等)を選択後、さらに目標施設サブメニュー１０４に切り換える。この時、ディスプレー上には、付近のガソリンスタンドが表示され、順序付けられている。最も多い順序は、近距離から遠距離へで、使用者は該ガソリンスタンドのリスト中から目標施設選択１０５を行い、向かおうとするガソリンスタンドを選定する。ナビゲーションシステムは、ルートを新たに計画し、ナビゲーションマップに戻り、再度ナビゲーションを行い１０６、使用者を該ガソリンスタンドへと導く。この種の操作方式は複雑で、時間がかかり、走行中に操作を行えば、走行の安全に危険が及びかねないため、停車し操作を行う必要がある。さらに、従来のナビゲーションシステムでは、目標を選択する時、付近の施設を一覧表の方式で表示するため、使用者はこれらの施設と現在のルートとの関係が全く分からない。
【０００５】
タッチパネルを入力インターフェースとして使用するナビゲーションシステムの制御方法は、図１に示すフローチャートと相同で、多段階のメニュー選択操作を経由する必要がある。両者の差異は、使用者がタッチパネル上のオプションを直接選択する点だけであるが、操作速度を多少は速めることができる。
【０００６】
使い易いインターフェースを提供するため、現在のナビゲーションシステムは、特定の施設をプリセット表示する機能を提供する。これにより、使用者は表示しようとする施設のタイプを予め設定する。例えば、使用者がガソリンスタンドを表示しようとプリセットする時には、図２に示すように、ナビゲーションマップ２０中において、現在地２２との距離がプリセット値内に在るガソリンスタンドをマークする。しかし、この種の方式は、付近の近距離内の施設だけをマーク可能で、施設数も少なく、しかも設定過程には、多層のメニュー選択を必要とするため、使用者の即時リクエストを満たすことはできない。
【発明の概要】
【発明が解決しようとする課題】
【０００７】
本発明が解決しようとする第一の課題は、ナビゲーションシステムを提供することである。本発明が解決しようとする第二の課題は、ナビゲーションシステムの制御方法を提供することである。
【課題を解決するための手段】
【０００８】
上記課題を解決するため、本発明は下記のナビゲーションシステムを提供する。
ナビゲーションシステムは、タッチ入力及びナビゲーションマップを表示するタッチパネル、データベースを保存するメモリ、モード切換コマンドを入力し、ナビゲーションシステムを手書き入力モードに切り換えるモード切換手段、該タッチパネルと該メモリに接続するコントローラーを備え、
該ナビゲーションシステムが手書き入力モードに切り換えられた後、該コントローラーは、該タッチパネルを通して手書き入力を識別し、入力情報を取得し、該データベースをサーチし、該入力情報が対応する施設データを取得し、該各施設を該ナビゲーションマップに表示する。
ナビゲーションシステムは、タッチ入力及びナビゲーションマップを表示するタッチパネル、データベースを保存するメモリ、モード切換コマンドを入力し、ナビゲーションシステムを手の動き入力モードに切り換えるモード切換手段、該タッチパネルと該メモリに接続するコントローラーを備え、
該ナビゲーションシステムが手の動き入力モードに切り換えられた後、該コントローラーは、該タッチパネルを通して手の動き入力を識別し、入力情報を取得し、該データベースをサーチし、該入力情報が対応する施設データを取得し、該各施設を該ナビゲーションマップに表示する。
該入力情報と予め設定するリストを比較対照し、該入力情報が対応する施設タイプを判断することができ、
該モード切換手段は、予め設定するボタン或いは予め設定する手の動きを含む。
【発明の効果】
【０００９】
本発明のナビゲーションシステム及びその制御方法は、タッチ操作の長所を十分に発揮し、操作プロセスを最短にまで短縮することができ、操作の利便性を向上させ、操作が走行の安全に及ぼす危険を低減することができる。
【図面の簡単な説明】
【００１０】
【図１】従来のナビゲーションシステム操作のフローチャートである。
【図２】従来のナビゲーションシステムの概略図である。
【図３】本発明一実施形態によるナビゲーションシステムのブロックチャートである。
【図４】図３のナビゲーションシステム制御のフローチャートである。
【図５】本発明一実施形態によるナビゲーションシステムにおいて、プリセットリストを通して、施設データを取得するプロセスのフローチャートである。
【図６】本発明一実施形態によるナビゲーションシステムにおいて、第一実施形態を示す概略図である。
【図７】本発明一実施形態によるナビゲーションシステムにおいて、第二実施形態制御のフローチャートである。
【発明を実施するための形態】
【００１１】
以下に図面を参照しながら本発明を実施するための最良の形態について詳細に説明する。図３は、本発明一実施形態によるナビゲーションシステム３０のブロックチャートで、図４は、図３のナビゲーションシステム３０制御のフローチャートである。ナビゲーションシステム３０は、ディスプレー及び入力インターフェースとするタッチパネル３２を備え、モード切換手段３８をプリセットし、モード切換コマンドの入力に用いる。  モード切換手段３８は、タッチパネル３２上に定義する図形ボタン、リアルボタン、或いは特定の手の動きで、例えば、同時に多数の指でタッチパネル３２に触れることもできる。コントローラー３４は、タッチパネル３２とメモリ３６に連接し、入力情報に基づき、メモリ３６中のデータベース３６２にアクセスする。スタート時、ナビゲーションシステム３０はナビゲーション状態４０１にあり、タッチパネル３２上にはナビゲーションマップを表示している。モード切換コマンドを受けると、ナビゲーションシステム３０は手書き識別モード４０２に切り換わり、使用者は、タッチパネル３２上において手書き入力を行う。コントローラー３４は、タッチパネル３２を通して、手書き入力を識別し、入力情報を取得する４０３。並びに、入力情報に基づき、メモリ３６のデータベース３６２から、対応する施設データを取得する４０３。さらに、タッチパネル３２上のナビゲーションマップ中において、すべての対応するタイプの施設を標示する４０５。
【００１２】
本実施形態は、予め設定したリストを対応させることができる。図５に示すように、コントローラー３４は、手書き識別５０１を経て、A、B、C…或いは特定の符合等の使用者が入力した入力情報を取得する５０２。並びに、入力情報に基づき、プリセットリストと比較対照し５０３、メモリ３６から  対応する施設データを取得し５０４、ナビゲーションマップ上に対応する施設を標示する５０５。
【００１３】
予め設定するリストは、システム設計者が予め設定する他に、使用者が自身で定義することもできる。最適な形態は、目標施設の位置を標示する以外に、その施設の関連情報を表示し、或いはその施設と関連するセカンドメニューを表示することができ、自動車内のインターネット及び電話システムに対応し、そのサイトに接続し、或いはその施設に電話を掛ける等の動作を行うことができる(表１参照)。
【表１】
2010127925.tif 000003
【００１４】
例えば、図６に示すように、使用者が手書き入力した文字がＧであると識別した時には、コントローラー３４は、データベース３６２から、付近にあるすべてのガソリンスタンドのデータを取得する。さらに、現在地６２を中心とし、ナビゲーションマップ６０上すべてのガソリンスタンドの位置をアイコンで標示する。同時に、９２無鉛ガソリン、９５無鉛ガソリン、９８無鉛ガソリン、ディーゼルオイルを含む各ガソリンスタンドの現在の価格を表示する。
【００１５】
図７は、本発明一実施形態によるナビゲーションシステムにおいて、第二実施形態制御のフローチャートである。図３、図６、及び図７に示すように、ナビゲーションシステム３０は、モード切換コマンドを受け取ると、ナビゲーション状態７０１から手の動き識別モード７０２に切り換わり７０２、タッチパネル上で操作する手の動きを識別し、入力情報を取得する７０３。コントローラー３４は、入力情報に基づき、データベース３６２から対応する施設データを取得し７０４、ナビゲーションマップ６０上に対応する施設を標示する７０５。本実施形態の手の動きは、施設タイプに対応し、また、例えば円を駐車場に対応させ、チェックをレストランに対応させ、バツをガソリンスタンドに対応させる等、使用者は自身で定義することができる。このようにして、手の動きで、付近の関連する施設の情報を迅速に得ることができる。
【００１６】
本発明が提出するナビゲーションシステム３０の制御方法は、タッチ操作の長所を十分に発揮し、操作プロセスは最短にまで短縮され、操作の利便性を向上させ、操作が走行の安全に及ぼす危険を低減することができる。
【００１７】
別の実施形態中では、手の動き入力或いは手書き入力を行う過程で、ナビゲーションマップ６０はタッチパネル３２上に表示される。
【００１８】
他の実施形態では、使用者の接触を感知し、その施設のアイコンを標示する時、本発明一実施形態によるナビゲーションシステムは、「ここまでのナビゲーション」メニューを提供し、或いは電話番号、URL等の連絡情報等の各施設の詳細情報を表示する。さらに、自動車用インターネット及び電話システムに対応し、使用者はタッチ制御の方式で、その施設のサイトに接続し、或いはその施設に電話を掛ける等の動作を行うことができる。電話発信或いはサイトへの接続動作は、手書き或いは手の動きにより入力され、施設の詳細データページを表示する時には、「T」を手書き入力すると、その施設に自動的に発信される。
【００１９】
他の実施形態では、中国語入力の方式によりサーチを行うよう、企画することができる。しかも、表１に示すメニューは、多段階のメニューに設計することもできる。例えば、表１に示すレストランRのセカンドメニューは、日本料理、中華料理、韓国料理、イタリア料理等に分類することができる。使用者がその内のあるカテゴリーに触れると、ナビゲーションシステムはそのカテゴリーの多数のレストラン情報を提供する。空港Aのセカンドメニューは、便、離陸及び着陸時間等の情報の表示に企画することができる。
【００２０】
本発明はさらに、多数の手による動きを応用することができる。例えば、２本の指の間の距離が近づく、或いは離れることでマップを拡大或いは縮小し、または２本の指の回転或いは捻り動きにより、マップを回転させることができる。
【００２１】
上記した実施形態は、キャパシタ式タッチパネルにより、ナビゲーションシステム中のタッチパネルを実現する。他の実施形態では、電気抵抗式、超音波式、或いは赤外線式等のタッチパネルにより、ナビゲーションシステムのタッチパネルを実現することができる。
【符号の説明】
【００２２】
１０１  ナビゲーション状態(ナビゲーションマップ)
１０２  メインメニュー
１０３  セカンドブメニュー(施設タイプ)
１０４  目標施設サブメニュー(近距離から遠距離へ)
１０５  目標施設選択
１０６  ナビゲーションマップに戻り、再度ナビゲーションを行う
２０  ナビゲーションマップ
２２  現在地
３０  ナビゲーションシステム
３２  タッチパネル
３４  コントローラー
３６  メモリ
３８  モード切換手段
３６２  データベース
４０１  ナビゲーション状態(ナビゲーションマップ)
４０２  手書き識別モード
４０３  手書き入力を識別し、入力情報を取得
４０４  該入力情報に基づき、対応施設データを取得
４０５  対応施設を標示
５０１  手書き識別
５０２  入力情報を取得(A、B、C…)
５０３  プリセットリストを比較対照
５０４  対応する施設データを取得
５０５  対応する施設を標示
６０  ナビゲーションマップ
６２  現在地
７０１  ナビゲーション状態(ナビゲーションマップ)
７０２  手の動き識別モード
７０３  手の動きを識別し、入力情報を取得
７０４  該入力情報に基づき、対応する施設データを取得
７０５  対応する施設を標示
【図１】
2010127925.tif 000004
【図２】
2010127925.tif 000005
【図３】
2010127925.tif 000006
【図４】
2010127925.tif 000007
【図５】
2010127925.tif 000008
【図６】
2010127925.tif 000009
【図７】
2010127925.tif 000010